【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】アクセスポイント、無線通信装置及びそれらの制御方法
【手続補正２】
【補正対象書類名】明細書
【補正対象項目名】特許請求の範囲
【補正方法】変更
【補正の内容】
【特許請求の範囲】
【請求項１】
無線通信装置のアクセス制御を行うアクセスポイントにおいて、
着脱式の記憶装置に保存されたアカウントデータを読み出し、記憶する記憶手段と、
前記記憶手段に記憶されているアカウントデータに基づいて無線通信装置を認証する認証サーバ機能と、
着脱式の記憶装置に保存されたアカウントデータが更新されたことを判別する判別手段と、
前記判別手段による判別に基づいて、前記記憶手段に記憶されているアカウントデータを書き換える書換手段と、を有することを特徴とするアクセスポイント。
【請求項２】
請求項１において、
前記アクセスポイントは、複数の無線通信機能に対応した無線通信拡張インターフェースを有し、
前記無線通信拡張インターフェースに選択的に無線通信カードを装着することで異なる無線通信機能による無線通信装置との無線通信を可能とすることを特徴とするアクセスポイント。
【請求項３】
請求項２において、
前記アクセスポイントは、前記無線通信拡張インターフェースを複数有することを特徴とするアクセスポイント。
【請求項４】
請求項１において、
前記アクセスポイントは、有線のネットワークに接続するための有線インターフェースを有し、
前記無線通信装置と前記有線ネットワーク間の通信経路選択処理を実行する制御部により、前記認証サーバ機能のエミュレーション処理を実行することを特徴とするアクセスポイント。
【請求項５】
請求項１において、
前記認証サーバ機能は、前記着脱式の記憶装置に保存されているアカウントデータの中の現在時間に対応するアカウントデータを用いて前記認証処理を行うことを特徴とするアクセスポイント。
【請求項６】
請求項１において、
前記判別手段は、前記着脱式の記憶装置が接続されたときの時間に対応するアカウントデータが更新されたことを判別することを特徴とするアクセスポイント。
【請求項７】
請求項１において、
前記アクセスポイントは、有線ネットワークに接続するための有線インターフェースを有し、
前記記憶手段は、前記有線ネットワーク経由で受信した前記認証サーバ機能用のアカウントデータも記憶することを特徴とするアクセスポイント。
【請求項８】
請求項１において、
前記着脱式の記憶装置には、前記アクセスポイントが管理する全てのアカウントデータが保存されることを特徴とするアクセスポイント。
【請求項９】
請求項１において、
前記認証サーバ機能は、IEEE802.1ｘで規定される認証を行うことを特徴とするアクセスポイント。
【請求項１０】
請求項１において、
前記アクセスポイントは、複数の無線通信インターフェースと、
前記アカウントデータに応じて、利用する無線通信インターフェースを選択する選択手段と、を有することを特徴とするアクセスポイント。
【請求項１１】
無線通信装置において、
認証サーバ機能を有するアクセスポイントが無線通信装置を認証する際に使用するアカウントデータが記憶されている着脱式の記憶装置を装着するインターフェースと、
前記インターフェースに装着された着脱式の記憶装置に記憶されているアカウントデータを編集する編集手段と、
前記編集手段により編集したアカウントデータを使用して前記アクセスポイントとの認証処理を実行する認証手段と、を有することを特徴とする無線通信装置。
【請求項１２】
メモリに記憶されたアカウントデータに基づいて無線通信装置を認証する認証サーバ機能を有するアクセスポイントの制御方法において、
着脱式の記憶装置に保存されたアカウントデータを読み出し、前記メモリに記憶する記憶工程と、
前記記憶工程において前記メモリにアカウントデータを記憶した後に、装着された着脱式の記憶装置に保存されたアカウントデータが更新されたことを判別する判別工程と、
前記判別工程における判別に基づいて、前記メモリに記憶されているアカウントデータを書き換えるよう制御する制御工程と、を有することを特徴とする制御方法。
【請求項１３】
認証サーバ機能を有するアクセスポイントが無線通信装置を認証する際に使用するアカウントデータが記憶されている着脱式の記憶装置を装着するインターフェースを有する無線通信装置の制御方法において、
前記インターフェースに装着された着脱式の記憶装置に記憶されているアカウントデータを編集する編集工程と、
前記編集工程において編集したアカウントデータを使用して前記アクセスポイントとの認証処理を実行する認証工程と、を有することを特徴とする制御方法。
【請求項１４】
請求項１２もしくは請求項１３に記載された制御方法を実行することを特徴とするプログラム。
【手続補正３】
【補正対象書類名】明細書
【補正対象項目名】０００１
【補正方法】変更
【補正の内容】
【０００１】
【発明の属する技術分野】
本発明は、無線ＬＡＮ（８０２．１１）やBluetooth等の無線通信機能を有する無線通信装置を認証し、セキュリティを考慮したネットワーク構築を実現する場合に好適なアクセスポイント、無線通信装置、それらの制御方法に関する。
【手続補正４】
【補正対象書類名】明細書
【補正対象項目名】０００８
【補正方法】変更
【補正の内容】
【０００８】
本発明は、上述した点に鑑みなされたものであり、安全な無線ネットワークを、簡易なシステム構成で簡単かつ柔軟に構築することを可能にすることを目的とする。
【手続補正５】
【補正対象書類名】明細書
【補正対象項目名】０００９
【補正方法】変更
【補正の内容】
【０００９】
【課題を解決するための手段】
上記目的を達成するため、本発明のアクセスポイントは、無線通信装置のアクセス制御を行うアクセスポイントにおいて、着脱式の記憶装置に保存されたアカウントデータを読み出し、記憶する記憶手段と、前記記憶手段に記憶されているアカウントデータに基づいて無線通信装置を認証する認証サーバ機能と、着脱式の記憶装置に保存されたアカウントデータが更新されたことを判別する判別手段と、前記判別手段による判別に基づいて、前記記憶手段に記憶されているアカウントデータを書き換える書換手段と、を有することを特徴とする。
【手続補正６】
【補正対象書類名】明細書
【補正対象項目名】００１０
【補正方法】変更
【補正の内容】
【００１０】
また、本発明の無線通信装置は、無線通信装置において、認証サーバ機能を有するアクセスポイントが無線通信装置を認証する際に使用するアカウントデータが記憶されている着脱式の記憶装置を装着するインターフェースと、前記インターフェースに装着された着脱式の記憶装置に記憶されているアカウントデータを編集する編集手段と、前記編集手段により編集したアカウントデータを使用して前記アクセスポイントとの認証処理を実行する認証手段と、を有することを特徴とする。
【手続補正７】
【補正対象書類名】明細書
【補正対象項目名】００１１
【補正方法】変更
【補正の内容】
【００１１】
また、本発明のアクセスポイントの制御方法は、メモリに記憶されたアカウントデータに基づいて無線通信装置を認証する認証サーバ機能を有するアクセスポイントの制御方法において、着脱式の記憶装置に保存されたアカウントデータを読み出し、前記メモリに記憶する記憶工程と、前記記憶工程において前記メモリにアカウントデータを記憶した後に、装着された着脱式の記憶装置に保存されたアカウントデータが更新されたことを判別する判別工程と、前記判別工程における判別に基づいて、前記メモリに記憶されているアカウントデータを書き換えるよう制御する制御工程と、を有することを特徴とする。
【手続補正８】
【補正対象書類名】明細書
【補正対象項目名】００１２
【補正方法】変更
【補正の内容】
【００１２】
また、本発明の無線通信装置の制御方法は、認証サーバ機能を有するアクセスポイントが無線通信装置を認証する際に使用するアカウントデータが記憶されている着脱式の記憶装置を装着するインターフェースを有する無線通信装置の制御方法において、前記インターフェースに装着された着脱式の記憶装置に記憶されているアカウントデータを編集する編集工程と、前記編集工程において編集したアカウントデータを使用して前記アクセスポイントとの認証処理を実行する認証工程と、を有することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００７２
【補正方法】変更
【補正の内容】
【００７２】
【発明の効果】
以上説明したように、本発明によれば、安全な無線ネットワークを、簡易なシステム構成で簡単かつ柔軟に構築することができる。このようなネットワーク構築のニーズは、会議等でテンポラリに安全なネットワークを構築したい場合等に最適である。